(57)【要約】【課題】簡単な操作で、選択している項目に対する複数の異なる処理を要求することができる一覧表示装置、選択操作支援方法、選択操作支援プログラムおよび選択操作支援プログラムを記録したコンピュータ読み取り可能な記録媒体を提供する。【解決手段】一覧表示装置１は、一つまたは複数の項目１２の一覧情報１１および支援情報１４が表示された表示手段１０とその前面に配置されて接触された位置情報を発するタッチパネル１９とを有している。そして、タッチパネル１９の発する前記位置情報に基づいて、前記接触が接触状態を維持したまま、前記項目１２内を移動して支援情報１４に進入したことを進入検出手段２５が検出したとき、該検出に基づいて処理要求手段２３が支援情報１４に割り当てられた支援処理を要求する。【選択図】図１
2008242735.tif 000002
【特許請求の範囲】
【請求項１】
一つ又は複数の項目の一覧情報を表示する表示手段と、前記表示手段の前面に配置され且つ接触に応じた位置情報を発生するタッチパネルと、前記位置情報に基づいて前記接触により前記項目の中から選択されている選択項目を検出する選択検出手段と、前記位置情報に基づいて前記選択項目に対応する前記タッチパネル上の領域から前記接触が離れたときに前記選択項目の確定を検出する確定検出手段と、前記確定検出手段が前記確定を検出したとき、前記選択項目に対する所定の処理を要求する処理要求手段と、を有する一覧表示装置において、
前記選択項目に対する支援処理が割り当てられた支援情報を前記一覧情報に連接して前記表示手段に表示させる表示制御手段と、
前記選択項目に対応する前記タッチパネル上の領域内を、前記接触が接触状態を維持したまま移動して、前記支援情報に対応する前記タッチパネル上の領域に進入したことを検出する進入検出手段と、を有し、
前記処理要求手段は、前記進入検出手段が前記進入を検出したとき、前記所定の処理を要求せず、前記選択項目に対する前記支援処理を要求する手段であることを特徴とする一覧表示装置。
【請求項２】
前記進入検出手段が前記進入を検出したあと、前記支援情報に対応する前記タッチパネル上の領域から前記接触が離れたときに、前記支援情報の選択を検出する支援情報選択検出手段を有し、
前記処理要求手段は、前記支援情報選択検出手段が前記選択を検出したときのみ、前記選択項目に対する前記支援処理を要求する手段であることを特徴とする請求項１に記載の一覧表示装置。
【請求項３】
前記表示制御手段は、前記接触が接触状態を維持したまま、互いの前記タッチパネル上の領域に移動可能なように、複数の前記支援情報を前記表示手段に表示させることを特徴とする請求項２に記載の一覧表示装置。
【請求項４】
一つ又は複数の項目の一覧情報を表示する表示手段と、前記表示手段の前面に配置され且つ接触に応じた位置情報を発生するタッチパネルと、前記位置情報に基づいて前記接触により前記項目の中から選択されている選択項目を検出する選択検出手段と、前記位置情報に基づいて前記選択項目に対応する前記タッチパネル上の領域から前記接触が離れたときに前記選択項目の確定を検出する確定検出手段と、前記確定検出手段が前記確定を検出したとき、前記選択項目に対する所定の処理を要求する処理要求手段と、
を有する一覧表示装置において、
前記選択項目に対する支援処理が割り当てられた支援情報を、前記一覧情報と隣り合うように前記表示手段に表示させる表示制御手段と、
前記選択検出手段による前記選択項目の検出が持続しているときに、前記位置情報に基づいて前記支援情報の選択を検出する支援情報選択検出手段と、を有し、
前記処理要求手段は、前記支援情報選択検出手段が前記支援情報の選択を検出したとき、前記選択項目に対する前記支援処理を要求する手段であることを特徴とする一覧表示装置。
【請求項５】
前記支援処理は、前記選択項目の選択のキャンセル処理であることを特徴とする請求項１〜４のいずれか一項に記載の一覧表示装置。
【請求項６】
前記支援処理は、前記所定の処理が次に実行する前記選択項目を格納する予約リストに、新たな前記選択項目を追加する処理であることを特徴とする請求項１〜４のいずれか一項に記載の一覧表示装置。
【請求項７】
一つ又は複数の項目の一覧情報を表示する表示手段と、前記表示手段の前面に配置され且つ接触に応じた位置情報を発生するタッチパネルと、前記位置情報に基づいて前記接触により前記項目の中から選択されている選択項目を検出する選択検出手段と、前記位置情報に基づいて前記選択項目に対応する前記タッチパネル上の領域から前記接触が離れたときに前記選択項目の確定を検出する確定検出手段と、前記確定検出手段が前記確定を検出したとき、前記選択項目に対する所定の処理を要求する処理要求手段と、を有する一覧表示装置で用いられる選択操作支援方法であって、
前記選択項目に対する支援処理が割り当てられた支援情報を前記一覧情報に連接して前記表示手段に表示させる第１工程と、
前記選択項目に対応する前記タッチパネル上の領域内を、前記接触が接触状態を維持したまま移動して、前記支援情報に対応する前記タッチパネル上の領域に進入したことを検出する第２工程と、
前記第２工程で前記進入を検出したとき、前記所定の処理を要求せず、前記選択項目に対する前記支援処理を要求する第３工程と、
からなることを特徴とする選択操作支援方法。
【請求項８】
一つ又は複数の項目の一覧情報を表示する表示手段と、前記表示手段の前面に配置され且つ接触に応じた位置情報を発生するタッチパネルと、を有する一覧表示装置のコンピュータを、
前記位置情報に基づいて前記接触により前記項目の中から選択されている選択項目を検出する選択検出手段、
前記位置情報に基づいて前記選択項目に対応する前記タッチパネル上の領域から前記接触が離れたときに前記選択項目の確定を検出する確定検出手段、
前記確定検出手段が前記確定を検出したとき、前記選択項目に対する所定の処理を要求する処理要求手段、
前記選択項目に対する支援処理が割り当てられた支援情報を前記一覧情報に連接して前記表示手段に表示させる表示制御手段、
前記選択項目に対応する前記タッチパネル上の領域内を、前記接触が接触状態を維持したまま移動して、前記支援情報に対応する前記タッチパネル上の領域に進入したことを検出する進入検出手段、および、
前記進入検出手段が前記進入を検出したときに、前記処理要求手段が、前記所定の処理を要求せず、前記選択項目に対する前記支援処理を要求する手段、
として機能させるための選択操作支援プログラム。
【請求項９】
請求項８に記載の選択操作支援プログラムを記録したコンピュータ読み取り可能な記録媒体。
【発明の詳細な説明】
【技術分野】
【０００１】
本発明は、前面にタッチパネルが取り付けられた液晶ディスプレイ等の表示装置を有し、前記タッチパネルを介して、前記表示装置に表示されたコンテンツリスト等の一覧情報の中から項目を選択することにより、選択された項目に対する所定の処理を要求する一覧表示装置、前記一覧表示装置で用いられる選択操作支援方法、選択操作支援プログラム、および、前記選択操作支援プログラムを記録したコンピュータ読み取り可能な記録媒体に関する。
【背景技術】
【０００２】
入力手段としてタッチパネルを備える表示装置は、利用者による直感的な操作が可能であることに加え、楽曲リストなどのコンテンツ一覧や複数の操作ボタン等を表示した操作画面を動的に変更することで、個々の機能に適応したユーザインタフェースを実現できることから、近年、様々な装置において、広く利用されるようになってきている。特に、携帯端末装置やナビゲーション装置等の小型装置においては、個々の機能毎に操作画面を実装することにより、多様な機能を備えつつ、スイッチなどの物理的な操作部を省いて、装置の小型化を実現している。
【０００３】
しかしながら、小型装置は画面サイズが限られており、多くの操作ボタンを同時に表示すると、各々の操作ボタンのサイズが小さくなってしまうことから、誤って近接する操作ボタンを選択してしまう等の操作性の悪化という問題を抱えており、この問題を解決する提案が特許文献１においてなされている。
【０００４】
特許文献１に示される、従来の実施形態の一覧表示装置は、表示部と、タッチパネルと、タッチパネルからの情報に基づき指示された表示画面上の座標を検出する座標検出部と、前記表示部にデータを表示し、前記検出された座標から対応する表示データ、もしくはその表示データに対応するデータを入力する入力処理部と、を備えている。
【０００５】
前記入力処理部は、前記タッチパネルへの接触により前記座標検出部で検出された座標を中心とした所定範囲に表示されている表示データを拡大するとともに、その拡大した表示データを指定する座標範囲を、該表示データの拡大に応じて変更し、この拡大表示時に検出された次の座標に対応した表示データを前記座標範囲に基づき検索して入力する。
【０００６】
つまり、上述の一覧表示装置においては、操作ボタンが表示されている画面において、利用者が１回目のタッチ（即ち、接触）を行うと、タッチした場所を中心とした所定の範囲の操作ボタンが拡大して表示され、拡大した操作ボタンに対して、２回目のタッチを行って操作ボタンの選択を行うと、タッチした操作ボタンに割り当てられた処理が実行される。
【０００７】
上述の一覧表示装置においては、１回目のタッチによって、操作ボタンを拡大表示していることから、操作ボタンの選択を容易にしているが、操作ボタンが拡大表示されたあとに、２回目のタッチを行って操作ボタンを選択する必要があり、操作が煩雑という問題があった。そして、次に示す従来の他の実施形態において、この問題の解決が提案されている。
【０００８】
従来の他の実施形態の一覧表示装置について、図１６〜２０を参照して説明する。
【０００９】
音楽再生機能を有するナビゲーション装置（即ち、一覧表示装置）１０１は、図１６に示すように、一つ又は複数の曲名領域１１２を含む曲名リスト領域１１１を表示する表示手段１１０と、表示手段１１０の前面に配置され且つ接触に応じた位置情報を発生するタッチパネル１１９と、前記位置情報に基づいて、前記接触により前記曲名領域１１２の中から選択されている選択曲名を検出する選択検出手段１２１と、前記位置情報に基づいて、前記選択曲名に対応する前記タッチパネル１１９上の領域から前記接触が離れたときに前記選択曲名の確定を検出する確定検出手段１２２と、前記確定検出手段１２２が前記確定を検出したとき、前記選択曲名に対する再生処理を要求する処理要求手段１２３と、を備えている。
【００１０】
また、表示手段１１０は、利用者による曲名選択操作を行うとき、図１７に示す、曲名選択操作画面を表示し、該画面は、その中央に曲名領域１１２を含む曲名リスト領域１１１と、曲名リスト領域１１１の周囲の余白領域１１５の上部に現在の演奏状態を示す演奏状態情報１１５ａとを有している。なお、上述した選択検出手段１２１と、確定検出手段１２２と、処理要求手段１２３と、は一覧表示装置１０１に搭載された図示しないＣＰＵ（Ｃｅｎｔｒａｌ  Ｐｒｏｃｅｓｓｉｎｇ  Ｕｎｉｔ）によって実現されている。また、該ＣＰＵは、前記位置情報に基づいて、選択曲名および選択曲名の上下１曲ずつを拡大表示させ、さらに、選択曲名をハイライト表示（例えば、通常表示の文字色と背景色を反転する、または、背景色のみ目立つ色に変更するなど）させる、図示しない表示効果手段としても機能する。
【００１１】
次に一覧表示装置１０１における、曲名の選択操作に伴う動作例を説明する。利用者が図示しない機能メニュー画面から音楽再生機能を選択すると、利用者が再生する曲名を選択する操作を行う曲名選択操作画面（図１７）が表示手段１１０に表示される。本動作例の曲名選択操作画面には、中央部に一つまたは複数の曲Ａ〜曲Ｋ（即ち、曲名領域１１２ａ〜１１２ｋ）を整列した曲名リスト領域１１１が表示されており、その周囲の余白領域１１５の上部には、演奏停止状態を示す情報が表示されている。また、本動作例では、最初に曲Ｃに接触を行い、その後、目的の曲である曲Ｈまで接触を移動させる動作について説明する。
【００１２】
まず、図１７に示す曲名選択操作画面において、演奏を停止しているナビゲーション装置１０１に対して、利用者９９が再生する曲名を選択するためにタッチパネル１１９に接触（本動作例では最初に曲Ｃに接触）すると、選択検出手段１２１が、選択曲名（即ち、曲名領域１１２ｃ）を検出し、また、表示効果手段が、図１８に示すように、選択曲名を中心とする上下の曲（即ち、曲名領域１１２ｂ、１１２ｄ）を、拡大曲名領域１１３ａ〜１１３ｃとして表示させて、さらに、拡大曲名領域１１３ｂをハイライト表示させる。そして、図１９に示すように、利用者９９がタッチパネル１１９に接触したまま、曲Ｃから、目的の曲である曲Ｈ（即ち、曲名領域１１２ｈ）までその接触を移動させると、その移動に伴って、選択検出手段１２１が検出する選択曲名が順に入れ替わり、また、拡大曲名領域１１３ａ〜１１３ｃが移動する。そして、図２０に示すように、目的の曲である曲Ｈが選択された状態でタッチパネルから接触を離すことで、確定検出手段１２２が、選択曲名が確定されたことを検出し、この検出により処理要求手段１２３が選択曲名の再生処理を要求し、表示効果手段が、選択曲名（即ち、曲名領域１１２ｈ）をハイライト表示させる。そして、選択曲名である曲Ｈの再生が開始される。なお、楽曲を再生している状態で、上記選択操作を行ったときは、再生している曲が中断されて、選択された曲の再生が開始される。
【００１３】
上述の通り、一覧表示装置１０１においては、利用者がタッチパネル１１９に接触することで曲名が拡大表示され、接触状態を保ったまま該接触を移動すると選択曲名が変更され、該接触を離すと曲名の選択が確定することから、誤った曲名を選択した場合でもその変更が可能であり、また、１回の接触で目的の曲を選択して再生することができるため、操作性の良い一覧表示装置を実現できる。
【特許文献１】特開平８−１８５２６５
【発明の開示】
【発明が解決しようとする課題】
【００１４】
しかしながら、上述の従来の他の実施形態である一覧表示装置１０１では、一度タッチパネル１１９に接触して曲名を選択したとき、曲名を選択している状態でタッチパネル１１９から接触を離すことで、つまり、選択している曲名に対応するタッチパネル上の領域から接触が離れることで、曲名の選択が確定して再生が開始されることから、曲名リスト領域１１１に表示されているいずれかの曲が必ず選択されてしまい、利用者がタッチパネル１１９に接触したあとに選択操作を中止したいと考えても、その選択操作を中止することができなかった。つまり、選択している曲名に対して再生処理以外の処理を要求することができないという問題があった。本発明が解決しようとする課題には、上記した問題が一例として挙げられる。
【００１５】
従って、本発明の目的は、簡単な操作で、選択している項目に対する複数の異なる処理を要求することができる一覧表示装置、選択操作支援方法、選択操作支援プログラムおよび選択操作支援プログラムを記録したコンピュータ読み取り可能な記録媒体を提供することにある。
【課題を解決するための手段】
【００１６】
上記課題を解決するため本発明によりなされた請求項１に記載の一覧表示装置は、一つ又は複数の項目の一覧情報を表示する表示手段と、前記表示手段の前面に配置され且つ接触に応じた位置情報を発生するタッチパネルと、前記位置情報に基づいて前記接触により前記項目の中から選択されている選択項目を検出する選択検出手段と、前記位置情報に基づいて前記選択項目に対応する前記タッチパネル上の領域から前記接触が離れたときに前記選択項目の確定を検出する確定検出手段と、前記確定検出手段が前記確定を検出したとき、前記選択項目に対する所定の処理を要求する処理要求手段と、を有する一覧表示装置において、前記選択項目に対する支援処理が割り当てられた支援情報を前記一覧情報に連接して前記表示手段に表示させる表示制御手段と、前記選択項目に対応する前記タッチパネル上の領域内を、前記接触が接触状態を維持したまま移動して、前記支援情報に対応する前記タッチパネル上の領域に進入したことを検出する進入検出手段と、を有し、前記処理要求手段は、前記進入検出手段が前記進入を検出したとき、前記所定の処理を要求せず、前記選択項目に対する前記支援処理を要求する手段であることを特徴とするものである。
【００１７】
請求項４に記載の一覧表示装置は、一つ又は複数の項目の一覧情報を表示する表示手段と、前記表示手段の前面に配置され且つ接触に応じた位置情報を発生するタッチパネルと、前記位置情報に基づいて前記接触により前記項目の中から選択されている選択項目を検出する選択検出手段と、前記位置情報に基づいて前記選択項目に対応する前記タッチパネル上の領域から前記接触が離れたときに前記選択項目の確定を検出する確定検出手段と、前記確定検出手段が前記確定を検出したとき、前記選択項目に対する所定の処理を要求する処理要求手段と、を有する一覧表示装置において、前記選択項目に対する支援処理が割り当てられた支援情報を、前記一覧情報と隣り合うように前記表示手段に表示させる表示制御手段と、前記選択検出手段による前記選択項目の検出が持続しているときに、前記位置情報に基づいて前記支援情報の選択を検出する支援情報選択検出手段と、を有し、前記処理要求手段は、前記支援情報選択検出手段が前記支援情報の選択を検出したとき、前記選択項目に対する前記支援処理を要求する手段であることを特徴とするものである。
【００１８】
請求項７に記載の選択操作支援方法は、一つ又は複数の項目の一覧情報を表示する表示手段と、前記表示手段の前面に配置され且つ接触に応じた位置情報を発生するタッチパネルと、前記位置情報に基づいて前記接触により前記項目の中から選択されている選択項目を検出する選択検出手段と、前記位置情報に基づいて前記選択項目に対応する前記タッチパネル上の領域から前記接触が離れたときに前記選択項目の確定を検出する確定検出手段と、前記確定検出手段が前記確定を検出したとき、前記選択項目に対する所定の処理を要求する処理要求手段と、を有する一覧表示装置で用いられる選択操作支援方法であって、前記選択項目に対する支援処理が割り当てられた支援情報を前記一覧情報に連接して前記表示手段に表示させる第１工程と、前記選択項目に対応する前記タッチパネル上の領域内を、前記接触が接触状態を維持したまま移動して、前記支援情報に対応する前記タッチパネル上の領域に進入したことを検出する第２工程と、前記第２工程で前記進入を検出したとき、前記所定の処理を要求せず、前記選択項目に対する前記支援処理を要求する第３工程と、からなることを特徴とする方法である。
【００１９】
請求項８に記載の選択操作支援プログラムは、一つ又は複数の項目の一覧情報を表示する表示手段と、前記表示手段の前面に配置され且つ接触に応じた位置情報を発生するタッチパネルと、を有する一覧表示装置のコンピュータを、前記位置情報に基づいて前記接触により前記項目の中から選択されている選択項目を検出する選択検出手段、前記位置情報に基づいて前記選択項目に対応する前記タッチパネル上の領域から前記接触が離れたときに前記選択項目の確定を検出する確定検出手段、前記確定検出手段が前記確定を検出したとき、前記選択項目に対する所定の処理を要求する処理要求手段、前記選択項目に対する支援処理が割り当てられた支援情報を前記一覧情報に連接して前記表示手段に表示させる表示制御手段、前記選択項目に対応する前記タッチパネル上の領域内を、前記接触が接触状態を維持したまま移動して、前記支援情報に対応する前記タッチパネル上の領域に進入したことを検出する進入検出手段、および、前記進入検出手段が前記進入を検出したときに、前記処理要求手段が、前記所定の処理を要求せず、前記選択項目に対する前記支援処理を要求する手段、として機能させるためのプログラムである。
【００２０】
請求項９に記載の選択操作支援プログラムを記録したコンピュータ読み取り可能な記録媒体は、請求項８に記載の選択操作支援プログラムを記録した記録媒体である。
【発明を実施するための最良の形態】
【００２１】
次に、本発明にかかる一覧表示装置の一実施形態を、図１の図面を参照して説明する。なお、図１は本発明に係る一覧表示装置の基本構成の一例を示す構成図である。
【００２２】
一覧表示装置１は、図１に示すように、一つ又は複数の項目１２の一覧情報１１を表示する表示手段１０と、表示手段１０の前面に配置され且つ利用者の指等による接触に応じた位置情報を発生するタッチパネル１９と、前記位置情報に基づいて前記接触により前記項目１２の中から選択されている選択項目を検出する選択検出手段２１と、前記位置情報に基づいて前記選択項目に対応するタッチパネル１９上の領域から前記接触が離れたときに前記選択項目の確定を検出する確定検出手段２２と、前記選択項目に対する支援処理が割り当てられた支援情報１４を一覧情報１１に連接して表示手段１０に表示させる表示制御手段２４と、前記選択項目に対応するタッチパネル１９上の領域内を、前記接触が接触状態を維持したまま移動して、支援情報１４に対応するタッチパネル１９上の領域に進入したことを検出する進入検出手段２５と、確定検出手段２２が前記確定を検出したとき、前記選択項目に対する所定の処理を要求し、且つ、進入検出手段２５が前記進入を検出したとき、前記所定の処理を要求せず、前記選択項目に対する前記支援処理を要求する処理要求手段２３と、を有している。
【００２３】
一覧表示装置１によれば、利用者の指等による接触を、前記選択項目から接触状態を保ったまま支援情報１４の領域に進入させることにより、前記選択項目に対して、前記支援処理を要求することができ、そのため、前記選択項目に対する処理として、複数の異なる処理を要求することが可能となり、操作性を向上させることができる。
【００２４】
また、一覧表示装置１は、進入検出手段２５が前記進入を検出したあと、支援情報１４に対応するタッチパネル１９上の領域から前記接触が離れたときに、支援情報１４の選択を検出する支援情報選択検出手段２６を有し、処理要求手段２３は、支援情報選択検出手段２６が前記選択を検出したときのみ、前記選択項目に対する前記支援処理を要求する手段、としても良い。このような構成にすることで、支援情報１４に前記接触が進入し、そして、該接触が離れたときに支援処理が要求されることから、支援情報１４に前記接触が進入したあと、接触状態を維持したまま再度項目１２に前記接触を戻すことで、項目１２の選択を継続して行うことができる。そのため、利用者が支援情報１４を選択したあとに、支援情報１４の選択を中止して、改めて選択項目に対する所定の処理を要求することが可能となり、操作性を向上させることができる。
【００２５】
また、表示制御手段２４は、前記接触が接触状態を維持したまま、互いのタッチパネル１９上の領域に移動可能なように、複数の支援情報１４を表示手段１０に表示させてもよい。このような構成にすることで、複数の支援情報１４に、それぞれ異なる複数の支援処理を割り当てることができ、前記選択項目に対する処理として、より多くの処理を要求することが可能となり、操作性を向上させることができる。
【００２６】
また、本発明にかかる一覧表示装置の他の一実施形態を、図２の図面を参照して以下に説明する。なお、図２は本発明に係る一覧表示装置の基本構成の一例を示す構成図である。図２に示す一覧表示装置２は、一つ又は複数の項目１２の一覧情報１１を表示する表示手段１０と、表示手段１０の前面に配置され且つ接触に応じた位置情報を発生するタッチパネル１９と、前記位置情報に基づいて、前記接触により前記項目１２の中から選択されている選択項目を検出する選択検出手段２１と、前記位置情報に基づいて、前記選択項目に対応するタッチパネル１９上の領域から前記接触が離れたときに前記選択項目の確定を検出する確定検出手段２２と、前記選択項目に対する支援処理が割り当てられた支援情報１４を、一覧情報１１に隣り合うように表示手段１０に表示させる表示制御手段２４と、選択検出手段２１による前記選択項目の検出が持続しているときに、前記位置情報に基づいて支援情報１４の選択を検出する支援情報選択検出手段２６と、確定検出手段２２が前記確定を検出したとき、前記選択項目に対する所定の処理を要求し、且つ、支援情報選択検出手段２６が支援情報１４の選択を検出したとき、前記選択項目に対する前記支援処理を要求する処理要求手段２３と、を有している。
【００２７】
一覧表示装置２によれば、利用者が前記選択項目を選択しているとき、同時に支援情報１４を選択することで、前記選択項目に対する支援処理を要求することができる。そのため、前記選択項目に対する処理として、複数の異なる処理を要求することが可能となり、操作性を向上させることができる。
【００２８】
また、上述の一覧表示装置１、２において、前記支援処理を、前記選択項目の選択のキャンセル処理としても良い。このような構成にすることで、利用者が前記選択項目の選択を中止したいと考えたときに、支援情報１４を選択して、項目１２の選択をキャンセルできることから、選択項目に対する前記所定の処理の要求を中止することが可能となり、操作性を向上させることができる。
【００２９】
また、上述の一覧表示装置１、２において、前記支援処理を、前記所定の処理が次に実行する前記選択項目を格納する予約リストに、新たな前記選択項目を追加する処理としてもよい。このような構成にすることで、利用者が、現在実行中の処理の終了を待たずに、次に所定の処理を実行する項目を選択できることから、操作性を向上させることができる。
【実施例１】
【００３０】
次に、本発明の第１の実施形態について、図３〜９を参照して説明する。なお、第１の実施形態および後述の第２の実施形態においては、ナビゲーション装置への適用例について記載しているが、これ以外にも、タッチパネルによって操作する装置であれば適用が可能である。
【００３１】
図３は、音楽再生機能を有するナビゲーション装置１の全体構成を示すブロック図である。ナビゲーション装置１は、請求項の一覧表示装置に相当し、ＣＰＵ（Ｃｅｎｔｒａｌ  Ｐｒｏｃｅｓｓｉｎｇ  Ｕｎｉｔ）２０と、ＲＯＭ（Ｒｅａｄ  Ｏｎｌｙ  Ｍｅｍｏｒｙ）３１と、ＲＡＭ（Ｒａｎｄｏｍ  Ａｃｃｅｓｓ  Ｍｅｍｏｒｙ）３２と、ＨＤＤ（Ｈａｒｄ  Ｄｉｓｋ  Ｄｒｉｖｅ）３３と、表示部４１と、操作部４２と、センサ部４３と、ＧＰＳ（Ｇｒｏｂａｌ  Ｐｏｓｉｔｉｏｎｉｎｇ  Ｓｙｓｔｅｍ）受信部４４と、マルチメディア処理部５１と、で構成されており、それぞれがバス６０によって互いに接続されている。
【００３２】
ＣＰＵ２０は、請求項のコンピュータに相当し、ナビゲーション装置１全体の動作を制御する。ＣＰＵ２０は、ナビゲーション装置１の各構成要素とバス６０を介して接続され、ＲＯＭ３１に格納される制御プログラムを読み出して実行し、ＲＡＭ３２に処理中のデータを一時的に保持する。また、図４に示すように、ＲＡＭ３２には、後述する曲名選択操作時に、選択している曲名を記憶する曲名情報記憶領域３２ａ、選択している支援情報を記憶する支援情報記憶領域３２ｂ、現在の再生処理終了後に再生する曲名を複数個記憶する再生予約リスト記憶領域３２ｃが設けられている。なお、ＲＯＭ３１に格納される制御プログラムには、ＣＰＵ２０を、選択検出手段、確定検出手段、処理要求手段、進入検出手段、支援情報選択検出手段、表示制御手段として機能させるプログラムが含まれる。そして、ＣＰＵ２０は当該制御プログラムを読み出して実行し、選択検出手段、確定検出手段、処理要求手段、進入検出手段、支援情報選択検出手段、表示制御手段として機能する。
【００３３】
ＨＤＤ３３は、例えば数ＧＢ〜数十ＧＢの記憶容量を有し、種々の圧縮方法で圧縮された、あるいは、非圧縮の画像データや、音楽データ等のコンテンツデータ、および、利用者データ等を記憶する。ナビゲーション装置１の動作時に、ＣＰＵ２０または後述のマルチメディア処理部５１によって、ＨＤＤ３３に記憶されているデータへのアクセスが行われる。
【００３４】
表示部４１は、ディスプレイ１０と表示制御部（図示なし）と音声処理部（図示なし）とで構成され、利用者に対して映像情報および音声情報を表示するものである。ディスプレイ１０は、画像や文字情報を表示する表示手段であり、例えばＣＲＴ、液晶表示素子などから構成されている。また、その前面には後述の操作部４２に含まれるタッチパネル１９が配設されている。表示制御部は、ディスプレイ１０に表示する表示データを生成する手段であり、集積回路等で構成される。ディスプレイ１０には、表示制御部の生成する画像信号に基づいて、ナビゲーション装置１の操作を行う機能メニュー画面や音楽再生操作を行う曲名選択操作画面等の各種操作画面、地図や車両位置が表示されるナビゲーション画像、または、映画などの映像等が表示される。なお、ディスプレイ１０および表示制御部は請求項の表示手段に相当する。音声処理部は、ＣＰＵ２０の制御の下、例えば、車両の進路をナビゲートする音声、または、音楽などの可聴信号を発生する。
【００３５】
また、ディスプレイ１０には、図６に例示する、利用者が再生する曲名を選択する操作を行う曲名選択操作画面が表示される。曲名選択操作画面には、中央に一つまたは複数の曲名領域１２を整列した曲名リスト領域１１と、その周囲の余白領域１５の上部に現在の演奏状態を示す演奏状態情報１５ａとが表示される。また、曲名リスト領域１１に連接して、曲名選択の操作を支援する支援情報である選択キャンセル領域７１が表示され、選択キャンセル領域７１に連接して、同じく支援情報である再生予約・予約解除領域７２が表示される。また、選択キャンセル領域７１には、選択している曲名の選択をキャンセルする支援処理が割り当てられ、再生予約・予約解除領域７２には、選択した曲名を、現在の処理終了後に再生を行う曲名が格納される再生予約リスト記憶領域３２ｃへ格納する、または、再生予約リスト記憶領域３２ｃから削除する支援処理が割り当てられている。
【００３６】
操作部４２は、ナビゲーション装置１に設けられたキー部、あるいはキー部を備えるリモコンと該リモコンからの信号を受信するリモコン受信部、および、利用者の接触により操作を入力するタッチパネル１９などからなり、ナビゲーション装置１の動作における所望の操作を行うため、キー入力およびタッチパネル１９への接触に応じた信号をＣＰＵ２０に供給する。
【００３７】
タッチパネル１９は、例えば、薄膜状の透明な抵抗膜をガラス板に積層し、押圧によって生じる抵抗膜への印可電圧の変化により接触位置を検出する抵抗膜方式や、矩形状の表示領域の各々の対辺に、複数組の赤外線ＬＥＤ（Ｌｉｇｈｔ  Ｅｍｉｔｔｉｎｇ  Ｄｉｏｄｅ）とフォトトランジスタとを相対して配置し、赤外線ＬＥＤの発する赤外線が遮られることにより、接触位置を検出する赤外線方式などの、少なくとも１カ所以上の接触が感知できる、既存のものである。タッチパネル１９は、その表面の接触状態又は接触位置の変化に応じて位置情報をＣＰＵ２０に対して出力する。つまり、接触があったときはその接触の位置を示す位置情報、接触が移動したときは移動先の位置情報、また、接触が離れたときは接触が離れたことを示す位置情報、を出力する。
【００３８】
センサ部４３は、自車位置を検出するために必要な各種センサを含んで構成されている。具体的には、車両の走行状態を検出するための距離センサ、方位センサ、Ｇセンサ等を含んでいる。なお、Ｇセンサは、傾斜を判断するセンサであり、これにより上下に並行して走る道路の判断（例えば、高速道路と一般道の判断）や上下に交差した道路の判断等を行う。
【００３９】
ＧＰＳ受信部４４は、ＧＰＳ衛星からの電波を受信し、測位データを出力する。センサ部４３からのセンサ出力とＧＰＳ受信部４４からの測位データに基づいて、ＣＰＵ２０が総合的に走行車両の現在地を検出する。
【００４０】
マルチメディア処理部５１は、ＤＳＰ（Ｄｉｇｉｔａｌ  Ｓｉｇｎａｌｌｉｎｇ  Ｐｒｏｃｅｓｓｏｒ）等で構成され、ＣＰＵ２０からの再生要求に従い、ＨＤＤ３３に記憶されている画像データや音声データを、表示部４１で取り扱い可能な情報形式に復号処理して、表示部４１に送信するものである。ＨＤＤ３３に記憶されている画像データのデータ形式には、例えば、動画ではＭＰＥＧ４（Ｍｏｖｉｎｇ  Ｐｉｃｔｕｒｅ  Ｅｘｐｅｒｔｓ  Ｇｒｏｕｐ  ４）等、静止画ではＪＰＥＧ（Ｊｏｉｎｔ Ｐｈｏｔｏｇｒａｐｈｉｃ Ｅｘｐｅｒｔｓ Ｇｒｏｕｐ）等の画像符号化方式が用いられており、マルチメディア処理部５１での画像復号処理により伸長された画像信号は、表示部４１の表示制御部に送られてディスプレイ１０に表示される。また、音楽データのデータ形式には、ＭＰ３（ＭＰＥＧ−１  Ａｕｄｉｏ  Ｌａｙｅｒ  ３）、ＡＡＣ（Ａｄｖａｎｃｅｄ  Ａｕｄｉｏ  Ｃｏｄｉｎｇ）等の音声符号化方式が用いられており、画像データと同様に、マルチメディア処理部５１での音声復号処理により伸長された音声信号は、表示部４１の音声処理部に送られ可聴信号として再生される。なお、画像データや音声データを記憶する記憶媒体は、ＨＤＤ３３に限定されるものではなく、ＤＶＤ（Ｄｉｇｉｔａｌ  Ｖｅｒｓａｔｉｌｅ  Ｄｉｓｋ）等の記憶媒体でもよい。
【００４１】
また、マルチメディア処理部５１は、画像や音楽の復号処理（即ち、再生処理）終了後に、上述した再生予約リスト記憶領域３２ｃを参照し、該領域に曲名が格納されている場合は、その曲名に対応する情報をＨＤＤ３３から取り出して、引き続き復号処理を行う。そして、復号処理終了後に、復号処理を行った曲名を再生予約リスト記憶領域３２ｃから削除する。
【００４２】
次にナビゲーション装置１での曲名選択操作時における、ＣＰＵ２０が行う本発明にかかる処理（曲名選択操作処理）の一例について、図５のフローチャートを参照して説明する。
【００４３】
ナビゲーション装置１に電源が投入されたあと、利用者が図示しない機能メニュー画面から音楽再生機能を選択すると、ＣＰＵ２０は、図６に示す、曲名選択操作画面をディスプレイ１０に表示させる。曲名選択操作画面には、曲名リスト領域１１とともに、支援情報である、選択キャンセル領域７１と再生予約・予約解除領域７２とが連接して表示されている。なお、これら支援情報を表示させる機能は、請求項の表示制御手段に相当する。
【００４４】
曲名選択操作画面において、タッチパネル１９への利用者の指等による接触を検出し、該接触に応じた位置情報を取得する（Ｓ１１）。即ち、この状態では未だタッチパネル１９への接触は発生しておらず、ＣＰＵ２０による位置情報の取得を待ち（Ｓ１１でＮ）、ＣＰＵ２０が該位置情報を取得すると、タッチパネル１９への接触が発生したとして、接触された領域の判定に進む（Ｓ１１でＹ）。
【００４５】
ＣＰＵ２０が位置情報を取得すると、該位置情報に基づいて、タッチパネル１９への接触によって曲名が選択されているかを判定する（Ｓ１２）。詳細には、取得した前記位置情報から、タッチパネル１９への接触が曲名領域１２に対してされているかを判定し、曲名領域１２に対する接触のときは、曲名が選択されているとして曲名領域選択処理に進み（Ｓ１２でＹ）、曲名領域１２に対する接触でないときは、無効な接触として再度位置情報を取得する（Ｓ１２でＮ）。
【００４６】
曲名領域が選択されていると判定すると、次に、曲名の選択に応じた処理を実行する（即ち、曲名領域選択処理、Ｓ１３）。接触により選択された曲名領域１２に対応する曲名を、ＲＡＭ３２に設けた曲名情報記憶領域３２ａに格納するとともに、選択された曲名領域１２およびその上下一曲に対応する各曲名領域１２を拡大表示し、さらに、選択された曲名領域１２の文字色と背景色を入れ換える（即ち、ハイライト表示）。そして、接触状態の判定に進む。
【００４７】
曲名領域選択処理の次に、現時点の接触の状態を判定するため、再度、タッチパネル１９への接触状態（即ち、接触位置の移動、または、接触が離されたことによる接触状態の変化）に応じた位置情報を取得する（Ｓ１４）。タッチパネル１９は、その表面の接触状態又は接触位置の変化に応じて位置情報をＣＰＵ２０に対して出力するので、ＣＰＵ２０は位置情報を取得するまで待ち（Ｓ１４でＮ）、ＣＰＵ２０が位置情報を取得すると、タッチパネル１９への接触状態が変化したものとして、取得した位置情報の判定に進む（Ｓ１４でＹ）。
【００４８】
ＣＰＵ２０が位置情報を取得すると、該位置情報に基づいて、引き続き曲名が選択されているかを判定する（Ｓ１５）。即ち、該位置情報から、タッチパネル１９への接触がいずれかの曲名領域１２（即ち、曲名リスト領域１１）に対して引き続き行われているかを判定し、該接触が曲名領域１２に対するものであるときは、曲名の選択が継続しているとして再度曲名領域選択処理に進み（Ｓ１５でＹ）、該接触が曲名領域１２に対して行われていないときは、曲名の選択が終了したとして、さらなる位置情報の判定に進む（Ｓ１５でＮ）。
【００４９】
曲名の選択が終了したと判定すると、次に、曲名の選択が確定したかを判定する（Ｓ１６）。即ち、前記位置情報から、タッチパネル１９への接触が離れたかを判定し、該接触が離れたときは、曲名の選択が確定したとして再生処理に進み（Ｓ１６でＹ）、該接触が継続しているときは、さらなる位置情報の判定に進む（Ｓ１６でＮ）。
【００５０】
曲名の選択が終了し且つ接触が継続していると判定すると、次に、支援情報（選択キャンセル領域７１、または、再生予約・予約解除領域７２）が選択されているかを判定する（Ｓ１７）。即ち、前記位置情報から、タッチパネル１９への接触が選択キャンセル領域７１、または、再生予約・予約解除領域７２（即ち、支援情報領域）に対してされているかを判定し、該接触が支援情報領域に対するものであるときは、支援情報が選択されたとして支援情報領域選択処理に進み（Ｓ１７でＹ）、該接触が支援情報領域に対するものでないときは、該接触が曲名領域１２でなく支援情報領域でもない、つまり、余白領域１５に移動し、曲名の選択が確定したとして再生処理に進む（Ｓ１７でＮ）。
【００５１】
支援情報領域が選択されていると判定すると、選択キャンセル領域７１、または、再生予約・予約解除領域７２のどちらか選択されている支援情報領域に対応する支援情報を、ＲＡＭ３２に設けられた支援情報記憶領域３２ｂに格納するとともに、選択されている支援情報領域をハイライト表示する（即ち、支援情報領域選択処理、Ｓ１８）。そして、接触状態の判定に進む。
【００５２】
支援情報領域選択処理の次に、現時点の接触の状態を判定するため、再度、タッチパネル１９への接触状態（即ち、接触位置の移動、または、接触が離されたことによる接触状態の変化）に応じた位置情報を取得する。タッチパネル１９は、その表面の接触状態又は接触位置の変化に応じて位置情報をＣＰＵ２０に対して出力するので、ＣＰＵ２０は位置情報を取得するまで待ち（Ｓ１９でＮ）、ＣＰＵ２０が位置情報を取得すると、タッチパネル１９への接触状態が変化したものとして、取得した位置情報の判定に進む（Ｓ１９でＹ）。
【００５３】
ＣＰＵ２０が位置情報を取得すると、該位置情報に基づいて、引き続き支援情報が選択されているかを判定する（Ｓ２０）。即ち、該位置情報から、タッチパネル１９への接触がいずれかの支援情報領域に対して引き続き行われているかを判定し、該接触が支援情報領域に対するものであるときは、支援情報の選択が継続しているとして再度支援情報領域選択処理に進み（Ｓ２０でＹ）、該接触が支援情報領域に対するものでないときは、支援情報の選択が終了したとして、さらなる位置情報の判定に進む（Ｓ２０でＮ）。
【００５４】
支援情報の選択が終了したと判定すると、次に、支援情報の選択が確定したかを判定する（Ｓ２１）。即ち、前記位置情報から、タッチパネル１９への接触が離れたかを判定し、該接触が離れたときは、支援情報の選択が確定したとして支援処理に進み（Ｓ２１でＹ）、該接触が継続しているときは、さらなる位置情報の判定に進む（Ｓ２１でＮ）。
【００５５】
支援情報の選択が終了し且つ接触が継続していると判定すると、次に、再度曲名が選択されたかを判定する（Ｓ２２）。即ち、前記位置情報から、タッチパネル１９への接触がいずれかの曲名領域１２（即ち、曲名リスト領域１１）に対してされているかを判定し、該接触が曲名領域１２に対するものであるときは、支援情報領域から曲名領域１２に接触状態を保ったまま該接触が移動して、再度曲名の選択がされているとして曲名領域選択処理に進み（Ｓ２２でＹ）、該接触が曲名領域１２に対するものでないときは、該接触が曲名領域１２でなく支援情報領域でもない、つまり、余白領域１５に移動し、支援情報の選択が確定したとして支援処理に進む（Ｓ２２でＮ）。
【００５６】
支援処理では、選択された支援情報に対応する支援処理を要求する。具体的には、選択キャンセル領域７１が選択されたときは、曲名情報記憶領域３２ａに格納されている曲名に対して何の処理要求も行わない（即ち、選択キャンセル処理）。また、再生予約・予約解除領域７２が選択されたときは、曲名情報記憶領域３２ａに格納されている曲名が、ＲＡＭ３２に設けられた再生予約リスト記憶領域３２ｃに存在するか確認し、存在しなければ再生予約リスト記憶領域３２ｃの最も末尾に近い空き領域に該曲名を格納し、存在すれば再生予約リスト記憶領域３２ｃから該曲名を削除して、該削除により生じた空き領域を詰めるようにその領域以降に格納されている曲名を前方に移動する処理を要求する。そして、曲名情報記憶領域３２ａおよび支援情報記憶領域３２ｂをクリアし、曲名領域１２および支援情報領域を通常表示に戻す。そして、本フローチャートに示す処理を終了する。
【００５７】
再生処理では、選択された曲名に対する再生処理を要求する。即ち、曲名情報記憶領域３２ａに記憶されている曲名に対して再生処理を要求する。そして、曲名情報記憶領域３２ａをクリアし、曲名領域１２の拡大表示を通常表示に戻し、選択された曲名領域１２をハイライト表示する。そして、本フローチャートに示す処理を終了する。
【００５８】
そして、ナビゲーション装置１の曲名選択操作時は、上記ステップＳ１１〜Ｓ２４の動作を繰り返して実行する。なお、上記ステップＳ１１〜Ｓ１３は、請求項の選択検出手段に相当し、ステップＳ１４〜Ｓ１７は、請求項の確定検出手段に相当し、ステップＳ１７、Ｓ１８は、請求項の進入検出手段に相当し、ステップＳ１９〜Ｓ２２は、請求項の支援情報選択検出手段に相当し、ステップＳ２３、Ｓ２４は、請求項の処理要求手段に相当する。
【００５９】
次に、ナビゲーション装置１の曲名選択操作画面において、利用者の操作に伴う動作例について、図６〜９を参照して説明する。
【００６０】
まず、図示しない機能メニュー画面より音楽再生機能を選択することにより、図６に例示する、曲名選択操作画面が表示される。曲名選択操作画面には、曲名領域１２ａ〜１２ｋまでを含む曲名リスト領域１１が表示されており、また、演奏状態情報１５ａには、現在の演奏状態が停止中であることを示す情報が表示されている。そして、利用者９９は、タッチパネル１９に接触して再生する曲名（即ち、曲名領域１２）を選択する。すると、図７に示すように、利用者９９が接触している曲名（本動作例では曲Ｈ、即ち、曲名領域１２ｈ）が拡大表示（即ち、拡大曲名領域１３ａ〜１３ｃを表示）され、さらに、選択されている曲名（即ち、拡大曲名領域１３ｂ）がハイライト表示されて、それが選択されている状態であることを示す。そして、この状態で、タッチパネル１９から接触を離すと、または、接触を保ったまま余白領域１５に該接触を移動させると、曲名の選択が確定して、選択された曲Ｈが再生される。
【００６１】
また、図８に示すように、利用者９９が、拡大曲名領域１３ｂへの接触を、接触状態を保ったまま選択キャンセル領域７１に移動させると、拡大曲名領域１３ｂとともに選択キャンセル領域７１がハイライト表示され、それらが選択されている状態にあることを示す。そして、この状態で、タッチパネル１９から接触を離すと、または、接触を保ったまま余白領域１５に該接触を移動させると、選択キャンセル領域７１の選択が確定して、曲Ｈの選択がキャンセルされて図６の画面に戻る。
【００６２】
また、図９に示すように、利用者９９が、選択キャンセル領域７１への接触を、接触状態を保ったまま再生予約・予約解除領域７２に移動させると、選択キャンセル領域７１のハイライト表示が通常表示に戻り、拡大曲名領域１３ｂとともに再生予約・予約解除領域７２がハイライト表示され、それらが選択されている状態にあることを示す。そして、この状態で、タッチパネル１９から接触を離すと、または、接触を保ったまま余白領域１５に該接触を移動させると、再生予約・予約解除領域７２の選択が確定して、曲Ｈが再生予約リストに追加され、または、再生予約リストから削除される。
【００６３】
また、利用者９９の接触が、選択キャンセル領域７１または再生予約・予約解除領域７２に移動した後、さらに、接触を保ったまま曲名領域１２に移動させることで、曲名選択操作を継続することができる。
【００６４】
本実施形態によれば、利用者が選択した曲名に対して、その選択をキャンセルすることができることから、例えば、利用者が曲名選択操作をした際に、選択操作を途中でやめたいと考えたときに、その操作をキャンセルすることが可能となり、操作性を向上させることができる。
【００６５】
また、通常の再生処理に加えて、現在の再生処理が終了した後に再生を行う曲を選択して再生の予約または再生の予約解除ができることから、操作性を向上させることができる。
【００６６】
また、選択している曲名または選択している支援情報に対応するタッチパネル１９上の領域から、指先を離すことで、または、接触を保ったまま余白領域１５に指先を移動することで曲名または支援情報の選択が確定されることから、つまり、曲名または支援情報に対する接触を保ったままであれば、他の曲名または他の支援情報に接触を移動することで、それらの選択を変更することができる。そのため、曲名の選択を変更できるとともに、選択した支援情報も変更することができる。よって、利用者が支援情報を選択した後に、他の操作を行いたいと考えたときに、その選択を変更することができるため、操作性を向上させることができる。
【００６７】
また、選択している曲名およびその上下の曲名が拡大表示されるとともに、選択している曲名がハイライト表示されることから、曲名が選択しやすく、また、選択されている曲名が認識しやすくなり、操作性を向上させることができる。
【実施例２】
【００６８】
次に、本発明の第２の実施形態について、図１０〜１５を参照して説明する。
【００６９】
図１０は、音楽再生機能を有するナビゲーション装置２の全体構成を示すブロック図である。ナビゲーション装置２は、請求項の一覧表示装置に相当し、ＣＰＵ（Ｃｅｎｔｒａｌ  Ｐｒｏｃｅｓｓｉｎｇ  Ｕｎｉｔ）２００と、ＲＯＭ（Ｒｅａｄ  Ｏｎｌｙ  Ｍｅｍｏｒｙ）３１０と、ＲＡＭ（Ｒａｎｄｏｍ  Ａｃｃｅｓｓ  Ｍｅｍｏｒｙ）３２０と、ＨＤＤ（Ｈａｒｄ  Ｄｉｓｋ  Ｄｒｉｖｅ）３３と、表示部４１と、操作部４２と、センサ部４３と、ＧＰＳ（Ｇｒｏｂａｌ  Ｐｏｓｉｔｉｏｎｉｎｇ  Ｓｙｓｔｅｍ）受信部４４と、マルチメディア処理部５１と、で構成されており、それぞれがバス６０によって互いに接続されている。なお、ナビゲーション装置２のＣＰＵ２００、ＲＯＭ３１０およびＲＡＭ３２０以外は、前述した第１の実施形態と同一であり、同一部分には同一符号を付して説明を省略する。
【００７０】
ＣＰＵ２００は、ナビゲーション装置２全体の動作を制御する。ＣＰＵ２００は、ナビゲーション装置２の各構成要素とバス６０を介して接続され、ＲＯＭ３１０に格納される制御プログラムを読み出して実行し、ＲＡＭ３２０に処理中のデータを一時的に保持する。また、図１１に示すように、ＲＡＭ３２０には、後述する曲名選択操作時に、選択している曲名を記憶する曲名情報記憶領域３２０ａが設けられている。なお、ＲＯＭ３１０に格納される制御プログラムには、ＣＰＵ２００を、選択検出手段、確定検出手段、処理要求手段、支援情報選択検出手段、表示制御手段として機能させるプログラムが含まれる。そして、ＣＰＵ２００は当該制御プログラムを読み出して実行し、選択検出手段、確定検出手段、処理要求手段、支援情報選択検出手段、表示制御手段として機能する。
【００７１】
また、ディスプレイ１０には、図１３に例示する、利用者が再生する曲名を選択する操作を行う再生曲名選択操作画面が表示される。曲名選択操作画面には、中央に一つまたは複数の曲名領域１２を整列した曲名リスト領域１１と、その周囲の余白領域１５の上部に現在の演奏状態を示す演奏状態情報１５ａとが表示される。また、曲名リスト領域１１に隣り合うように（即ち、図１３に示すように間に余白領域を空けて、または、余白領域を空けずに接しても良い）して、曲名選択の操作を支援する支援情報である選択キャンセル領域８１が表示される。また、選択キャンセル領域８１には、選択している曲名の選択をキャンセルする支援処理が割り当てられている。
【００７２】
タッチパネル１９は、例えば、前述の赤外線方式などの、少なくとも２カ所以上の同時接触（即ち、多重押し操作）が感知できる、既存のものである。タッチパネル１９は、その表面の接触状態又は接触位置の変化に応じて位置情報をＣＰＵ２０に対して出力する。つまり、接触があったときはその接触の位置を示す位置情報、接触が移動したときは移動先の位置情報、また、接触が離れたときは接触が離れたことを示す位置情報、を出力する。また、２カ所目以降の接触についても、それら接触に関する位置情報を出力する。
【００７３】
次にナビゲーション装置２での曲名選択操作時における、ＣＰＵ２００が行う本発明にかかる処理（曲名選択操作処理）の一例について、図１２のフローチャートを参照して説明する。
【００７４】
ナビゲーション装置２に電源が投入されたあと、利用者が図示しない機能メニュー画面から音楽再生機能を選択すると、ＣＰＵ２００は、図１３に示す、曲名選択操作画面をディスプレイ１０に表示させる。曲名選択操作画面には、曲名リスト領域１１とともに、選択キャンセル領域８１（即ち、支援情報）が余白領域１５を間に挟んで互いに隣り合うように表示されている。なお、これら支援情報を表示させる機能は、請求項の表示制御手段に相当する。
【００７５】
曲名選択操作画面において、タッチパネル１９への利用者の指等による接触を検出し、該接触に応じた位置情報を取得する（Ｓ４１）。即ち、この状態では未だタッチパネル１９への接触は発生しておらず、ＣＰＵ２００による位置情報の取得を待ち（Ｓ４１でＮ）、ＣＰＵ２００が該位置情報を取得すると、タッチパネル１９への接触が発生したとして、接触された領域の判定に進む（Ｓ４１でＹ）。
【００７６】
ＣＰＵ２００が位置情報を取得すると、該位置情報に基づいて、タッチパネル１９への接触によって曲名が選択されているかを判定する（Ｓ４２）。詳細には、取得した前記位置情報から、タッチパネル１９への接触が曲名領域１２に対してされているかを判定し、曲名領域１２に対する接触のときは、曲名が選択されているとして曲名領域選択処理に進み（Ｓ４２でＹ）、曲名領域１２に対する接触でないときは、無効な接触として再度位置情報を取得する（Ｓ４２でＮ）。
【００７７】
曲名領域が選択されていると判定すると、次に、曲名の選択に応じた処理を実行する（即ち、曲名領域選択処理、Ｓ４３）。接触により選択された曲名領域１２に対応する曲名を、ＲＡＭ３２０に設けた曲名情報記憶領域３２０ａに格納するとともに、選択された曲名領域１２およびその上下一曲に対応する各曲名領域１２を拡大表示し、さらに、選択された曲名領域１２をハイライト表示する。そして、接触状態の判定に進む。
【００７８】
曲名領域選択処理の次に、現時点の接触の状態を判定するため、再度、タッチパネル１９への接触状態（即ち、接触位置の移動、接触が離されたことによる接触状態の変化、または、新たな接触の発生）に応じた位置情報を取得する（Ｓ４４）。タッチパネル１９は、その表面の接触状態又は接触位置の変化に応じて位置情報をＣＰＵ２００に対して出力するので、ＣＰＵ２００は位置情報を取得するまで待ち（Ｓ４４でＮ）、ＣＰＵ２００が位置情報を取得すると、タッチパネル１９への接触状態が変化したものとして、取得した位置情報の判定に進む（Ｓ４４でＹ）。
【００７９】
ＣＰＵ２００が位置情報を取得すると、該位置情報に基づいて、引き続き曲名が選択されているかを判定する（Ｓ４５）。即ち、該位置情報から、タッチパネル１９への接触がいずれかの曲名領域１２（即ち、曲名リスト領域１１）に対して引き続き行われているかを判定し、該接触が曲名領域１２に対するものであるときは、曲名の選択が継続しているとして、新たな接触の有無の判定に進み（Ｓ４５でＹ）、該接触が曲名領域１２に対してされていない（即ち、該接触が余白領域１５に対してされている、または、該接触が離れた）ときは、曲名の選択が確定したとして、再生処理に進む（Ｓ４５でＮ）。
【００８０】
曲名の選択が継続していると判定すると、次に、曲名の選択以外に新たな接触が発生したかを判定する（Ｓ４６）。即ち、前記位置情報から、曲名領域１２に対する接触の他に、新たな接触が発生したかを判定し、新たな接触が発生したときは、その接触されている領域の判定に進み（Ｓ４６でＹ）、新たな接触がないときは、曲名の選択のみ継続しているとして、再度曲名領域選択処理に進む（Ｓ４６でＮ）。
【００８１】
新たな接触が発生したと判定すると、新たな接触により支援情報が選択されたかを判定する（Ｓ４７）。即ち、前記位置情報から、新たな接触が選択キャンセル領域８１（即ち、支援情報領域）に対してされたものか判定し、該新たな接触が支援情報領域に対するものであるときは、曲名の選択が継続されるとともに支援情報が選択された、即ち、支援情報の選択が確定したとして支援処理に進み（Ｓ４７でＹ）、該新たな接触が支援情報領域に対するものでないときは、無効な接触とみなし、曲名の選択のみ継続しているとして、再度曲名領域選択処理に進む（Ｓ４７でＮ）。
【００８２】
支援処理では、選択された支援情報に対応する支援処理を要求する。具体的には、選択キャンセル領域８１が選択されており、曲名情報記憶領域３２０ａに格納されている曲名に対して何の処理要求も行わない（即ち、選択キャンセル処理）。そして、曲名情報記憶領域３２０ａをクリアし、曲名領域１２および選択キャンセル領域８１を通常表示に戻す。そして、本フローチャートに示す処理を終了する。
【００８３】
再生処理では、選択された曲名に対する再生処理を要求する。即ち、曲名情報記憶領域３２０ａに記憶されている曲名に対して再生処理を要求する。そして、曲名情報記憶領域３２０ａをクリアし、曲名領域１２の拡大表示を通常表示に戻し、選択された曲名領域１２をハイライト表示する。そして、本フローチャートに示す処理を終了する。
【００８４】
そして、ナビゲーション装置２の再生曲名選択操作時は、上記ステップＳ４１〜Ｓ４９の動作を繰り返して実行する。なお、上記ステップＳ４１〜Ｓ４３は、請求項の選択検出手段に相当し、ステップＳ４４、Ｓ４５は、請求項の確定検出手段に相当し、ステップＳ４６、Ｓ４７は、請求項の支援情報選択検出手段に相当し、ステップＳ４８、Ｓ４９は、請求項の処理要求手段に相当する。
【００８５】
次に、ナビゲーション装置２の曲名選択操作画面において、利用者が操作を行ったときの動作例について、図１３〜１５を参照して説明する。
【００８６】
まず、図示しない機能メニュー画面より音楽再生機能を選択することにより、図１３に例示する、曲名選択操作画面が表示される。曲名選択操作画面には、曲名領域１２ａ〜１２ｋまでを含む曲名リスト領域１１が表示されており、また、演奏状態情報１５ａには、現在の演奏状態が停止中であることを示す情報が表示されている。そして、利用者９９は、タッチパネル１９に接触して再生する曲名（即ち、曲名領域１２）を選択する。すると、図１４に示すように、利用者９９が接触している曲名（本動作例では曲Ｈ、即ち、曲名領域１２ｈ）が拡大表示（即ち、拡大曲名領域１３ａ〜１３ｃを表示）され、さらに、選択されている曲名（即ち、拡大曲名領域１３ｂ）がハイライト表示されて、それが選択されている状態であることを示す。そして、この状態で、タッチパネル１９から接触を離すと、または、接触を保ったまま余白領域１５に該接触を移動させると、曲名の選択が確定して、選択された曲Ｈが再生される。
【００８７】
また、図１５に示すように、利用者９９が、拡大曲名領域１３ｂへの接触を保ったまま、新たに選択キャンセル領域８１に接触すると、選択キャンセル領域８１がハイライト表示され、拡大曲名領域１３ａ〜１３ｃは消去されて通常表示に戻り、曲名の選択がキャンセルされた状態にあること示す。そして所定時間経過後に、選択キャンセル領域８１のハイライト表示が通常表示に戻り、再度図１３に示す画面が表示される。この状態から、改めて曲名を選択するときは、タッチパネル１９から接触を離したあと、再度、曲名の選択を行う。
【００８８】
本実施形態によれば、利用者が選択した曲名に対して、その選択をキャンセルすることができることから、例えば、利用者が曲名選択操作をした際に、選択操作を途中でやめたいと考えたときに、その操作をキャンセルすることが可能となり、操作性を向上させることができる。
【００８９】
また、選択している曲名に対応するタッチパネル１９上の領域から、指先を離すことで、または、接触を保ったまま余白領域１５に指先を移動することで曲名の選択が確定されることから、つまり、曲名に対する接触を保ったままであれば、他の曲名に接触を移動することで、曲名の選択を変更することができる。そのため、利用者が曲名を選択した後に、他の曲名を選択したいと考えたときに、その選択を変更することが可能となり、操作性を向上させることができる。
【００９０】
また、選択している曲名およびその上下の曲名が拡大表示されるとともに、選択している曲名がハイライト表示されることから、曲名領域が選択しやすく、また、選択されている曲名が認識しやすくなり、操作性を向上させることができる。
【００９１】
なお、上述した第２の実施形態においては、支援情報として選択キャンセル領域８１を設け、選択している曲名のキャンセル処理を割り当てているが、これに限定されるものではなく、例えば、第１の実施形態で記載した、再生予約・予約解除領域を設け、再生予約・予約解除処理を割り当てても良い。また、支援情報が１つのみの構成を記述したが、これに限定されるものではなく、異なる
支援処理が割り当てられた複数の支援情報を設けても良い。
【００９２】
また、上述した実施形態において、支援処理を、キャンセル処理または再生予約・予約解除処理としているが、これに限定するものではなく、例えば、選択曲名の削除処理、選択曲名のリピート再生処理など、任意の処理とすることが可能である。
【００９３】
前述した実施例によれば、以下の一覧表示装置１および一覧表示装置２が得られる。
【００９４】
（付記１）一つ又は複数の項目１２の一覧情報１１を表示する表示手段１０と、前記表示手段１０の前面に配置され且つ接触に応じた位置情報を発生するタッチパネル１９と、前記位置情報に基づいて前記接触により前記項目１２の中から選択されている選択項目を検出する選択検出手段２１と、前記位置情報に基づいて前記選択項目に対応する前記タッチパネル１９上の領域から前記接触が離れたときに前記選択項目の確定を検出する確定検出手段２２と、前記確定検出手段２２が前記確定を検出したとき、前記選択項目に対する所定の処理を要求する処理要求手段２３と、を有する一覧表示装置１において、前記選択項目に対する支援処理が割り当てられた支援情報１４を前記一覧情報１１に連接して前記表示手段１０に表示させる表示制御手段２４と、前記選択項目に対応する前記タッチパネル１９上の領域内を、前記接触が接触状態を維持したまま移動して、前記支援情報に対応する前記タッチパネル１９上の領域に進入したことを検出する進入検出手段２５と、を有し、前記処理要求手段２３は、前記進入検出手段２５が前記進入を検出したとき、前記所定の処理を要求せず、前記選択項目に対する前記支援処理を要求する手段であることを特徴とする一覧表示装置１。
【００９５】
一覧表示装置１によれば、前記選択項目に対する処理として、前記所定の処理に加えて、前記支援処理を要求することができ、そのため、前記選択項目に対する処理として、複数の異なる処理を要求することが可能となり、操作性を向上させることができる。
【００９６】
（付記２）一つ又は複数の項目１２の一覧情報１１を表示する表示手段１０と、前記表示手段の前面に配置され且つ接触に応じた位置情報を発生するタッチパネル１９と、前記位置情報に基づいて前記接触により前記項目の中から選択されている選択項目を検出する選択検出手段２１と、前記位置情報に基づいて前記選択項目に対応する前記タッチパネル１９上の領域から前記接触が離れたときに前記選択項目の確定を検出する確定検出手段２２と、前記確定検出手段２２が前記確定を検出したとき、前記選択項目に対する所定の処理を要求する処理要求手段２３と、を有する一覧表示装置２において、前記選択項目に対する支援処理が割り当てられた支援情報１４を、前記一覧情報１１と隣り合うように前記表示手段１０に表示させる表示制御手段２４と、前記選択検出手段２１による前記選択項目の検出が持続しているときに、前記位置情報に基づいて前記支援情報１４の選択を検出する支援情報選択検出手段２６と、を有し、前記処理要求手段２３は、前記支援情報選択検出手段２６が前記支援情報１４の選択を検出したとき、前記選択項目に対する前記支援処理を要求する手段であることを特徴とする一覧表示装置２。
【００９７】
一覧表示装置２によれば、前記選択項目に対する処理として、前記所定の処理に加えて、前記支援処理を要求することができ、そのため、前記選択項目に対する処理として、複数の異なる処理を要求することが可能となり、操作性を向上させることができる。
【００９８】
なお、上述した各実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００９９】
【図１】本発明の一覧表示装置の基本構成を示すブロック図である。
【図２】本発明の一覧表示装置の他の基本構成を示すブロック図である。
【図３】本発明の一覧表示装置の第１の実施形態の構成を示すブロック図である。
【図４】図３のＲＡＭ３２のメモリマップである。
【図５】図３のＣＰＵ２０が行う曲名選択操作処理の概要を示すフローチャートである。
【図６】第１の実施形態の一覧表示装置における曲名選択操作画面である。
【図７】図６の画面において、利用者が曲名に接触したときを示す画面である。
【図８】図７の画面において、利用者の接触が選択キャンセル領域に移動したときを示す画面である。
【図９】図８の画面において、利用者の接触が再生予約・予約解除領域に移動したときを示す画面である。
【図１０】本発明の一覧表示装置の第２の実施形態の構成を示すブロック図である。
【図１１】図１０のＲＡＭ３２０のメモリマップである。
【図１２】図１０のＣＰＵ２００が行う曲名選択操作処理の概要を示すフローチャートである。
【図１３】第２の実施形態の一覧表示装置における曲名選択操作画面である。
【図１４】図１３の画面において、利用者が曲名に接触したときを示す画面である。
【図１５】図１４の画面において、利用者が新たに選択キャンセル領域に接触したときを示す画面である。
【図１６】従来の他の実施形態の一覧表示装置の構成を示すブロック図である。
【図１７】従来の他の実施形態における曲名選択操作画面である。
【図１８】図１７の画面において、利用者が曲名に接触したときを示す画面である。
【図１９】図１８の画面において、利用者が接触を移動して選択曲名を変更したときを示す図面である。
【図２０】図１９の画面において、利用者が接触を離して、選択曲名が確定したときを示す図面である。
【符号の説明】
【０１００】
１、２      一覧表示装置（ナビゲーション装置）
１０        表示手段（ディスプレイ）
１１        一覧表示（曲名リスト領域）
１２        項目（曲名領域）
１４        支援情報（選択キャンセル領域、再生予約・予約解除領域）
１９        タッチパネル
２１        選択検出手段（ＣＰＵ）
２２        確定検出手段（ＣＰＵ）
２３        処理要求手段（ＣＰＵ）
２４        表示制御手段（ＣＰＵ）
２５        進入検出手段（ＣＰＵ）
２６        支援情報選択検出手段（ＣＰＵ）
【図１】
2008242735.tif 000003
【図２】
2008242735.tif 000004
【図３】
2008242735.tif 000005
【図４】
2008242735.tif 000006
【図５】
2008242735.tif 000007
【図６】
2008242735.tif 000008
【図７】
2008242735.tif 000009
【図８】
2008242735.tif 000010
【図９】
2008242735.tif 000011
【図１０】
2008242735.tif 000012
【図１１】
2008242735.tif 000013
【図１２】
2008242735.tif 000014
【図１３】
2008242735.tif 000015
【図１４】
2008242735.tif 000016
【図１５】
2008242735.tif 000017
【図１６】
2008242735.tif 000018
【図１７】
2008242735.tif 000019
【図１８】
2008242735.tif 000020
【図１９】
2008242735.tif 000021
【図２０】
2008242735.tif 000022